(57)【要約】【課題】米びつの多くは、例えば４合の米を計量・排出される場合には、レバーを４回押し下げる操作を行う必要がある。従って、操作中にうっかりするとレバーを何回押し下げたのか忘れてしまうこともある。【解決手段】レバー３９を押し下げて、ラック４１を反時計回りの方向へ回動させて、米Ｋの計量を行うと、ラック４１の上面にリミットスイッチ５３の押圧片５５が押されてボタンが押圧される。するとリミットスイッチ５３からの電気信号がＬＥＤ制御回路へ伝達されて、ＬＥＤ４９ａが点灯する。これにより米Ｋの計量が１回行われたことが表示される。再度、レバー３９を押し下げると、同様にしてＬＥＤ４９ｂが点灯する。このように、レバー３９を押し下げる度にＬＥＤ４９ａから順次、ＬＥＤ４９ｂ、４９ｃ、４９ｄまで点灯し、何回米Ｋの計量が行われたかが表示される。【選択図】        図２
2004187928.tif 000002
【特許請求の範囲】
【請求項１】
米が貯容される米貯容部と、前記米貯容部に貯容されている米を一定量ずつ計量して排出する計量排出手段と、前記計量排出手段から排出される米を受ける位置に装着でき、且つ計量排出手段から排出される米を受ける位置から外すことができる受容器とを有する米びつにおいて、前記計量排出手段を操作して米の計量・排出を行った回数を表示する表示手段を備えたことを特徴とする米びつ。
【請求項２】
請求項１に記載した米びつにおいて、表示手段は複数の発光体と、前記発光体を米の計量・排出を行った回数に応じて発光させる発光体制御手段とによって構成したことを特徴とする米びつ。
【請求項３】
請求項１または２に記載した米びつにおいて、表示手段は受容器が米を受ける位置から外れるとリセットされることを特徴とする米びつ。
【発明の詳細な説明】
【０００１】
【発明の属する技術分野】
本発明は米びつに係り、特にレバー等を操作すると米を一定量ずつ計量して排出する計量排出手段を具備する米びつに関するものである。
【０００２】
【従来の技術】
米を一定量ずつ計量して排出する計量排出手段を備えた米びつから米を計量・排出させるには、米びつの前面パネルに備えられた操作部のレバーを押し下げたりするなどして、計量排出手段を作動させ、米びつの前面パネルの開口内に配置された引き出し式の受容器に排出口から排出される米を受ける。そして、この受容器を前面パネルの開口から引き出して、炊飯器の内釜等へ米を移す。
【０００３】
【発明が解決しようとする課題】
しかしながら、この種の米びつの多くは、例えば４合の米を計量・排出させる場合、レバーを４回押し下げる操作を行う必要がある。従って、操作中にうっかりするとレバーを何回押し下げたのか忘れてしまうこともある。この場合には受容器を米びつの本体から外して、この受容器に排出されている米を、本体の上面等に備えられた蓋をあけて本体内に戻した後、さらに受容器を本体に装着して、最初から米の計量・排出のための操作をやり直さなければならず、かなり面倒である。
【０００４】
本発明は上記した問題点に鑑みて為されたものであり、米の計量・排出を何回行ったかが、米びつを操作している者に分かる米びつを提供することを目的とする。
【０００５】
【課題を解決するための手段】
この目的を達成するために、請求項１の発明は、米が貯容される米貯容部と、前記米貯容部に貯容されている米を一定量ずつ計量して排出する計量排出手段と、前記計量排出手段から排出される米を受ける位置に装着でき、且つ計量排出手段から排出される米を受ける位置から外すことができる受容器とを有する米びつにおいて、前記計量排出手段を操作して米の計量・排出を行った回数を表示する表示手段を備えたことを特徴とする米びつである。
【０００６】
請求項２の発明は、請求項１に記載した米びつにおいて、表示手段は複数の発光体と、前記発光体を米の計量・排出を行った回数に応じて発光させる発光体制御手段とによって構成したことを特徴とする米びつである。
【０００７】
請求項３の発明は、請求項１または請求項２に記載した米びつにおいて、表示手段は受容器が米を受ける位置から外れるとリセットされることを特徴とする米びつである。
【０００８】
【発明の実施の形態】
本発明の実施の形態に係る米びつ１を図面に従って説明する
米びつ１の本体３は箱型をしており、本体３の上面には長方形の投入口５が形成されている。この投入口５は着脱自在の蓋７によって閉鎖される。
また、本体３の前面パネル９には矩形の開口１１，１３，１５が３つ上下方向に並んで形成されている。一番上の開口１１には透明板１７がはめられており、窓が構成されている。真ん中の開口１３は前面パネル９の凹部１０の底に設けられており、一番下の開口１５より小さい寸法に形成されている。開口１５から受容器１６が挿入され、収容部４に貯容される。
開口１１と開口１３との間には丸穴１８が横に４つ並んで形成されている。
【０００９】
本体３内には仕切板１９が設けられており、この仕切板１９より上方空間が米Ｋを貯留する米貯留部２０となる。仕切板１９の中央には排出口２１が形成されており、仕切板１９は排出口２１へ向かって傾斜している。
符号２３は計量容器を示し、この計量容器２３は仕切板１９に固定された支持部２４に固定されている。計量容器２３は中空のほぼ円柱状をしており、周面の上下二カ所に開口２５，２７が形成されている。上側の開口２５には排出口２１が接続されている。
【００１０】
計量容器２３にはシャッター２９が収容されている。シャッター２９は計量容器２３の内周面に沿うように湾曲しており、計量容器２３の開口２５及び２７を閉鎖できる大きさに形成されている。シャッター２９には軸３１が固定されている。この軸３１は計量容器２３の両側面に回転自在に支持されており、この軸３１と共にシャッター２９は回動できる。軸３１の両端部は計量容器２３の両側面及び支持部２４から突出しており、この軸３１の突出部の一端側にはベベルギア３３が固定されている。
【００１１】
符号３９はレバーを示し、このレバー３９の後端部にはほぼ扇形のラック４１が一体に形成されている。レバー３９は支持部４３に固定された軸４５に回動自在に支持されており、レバー３９の先端部は開口１５から突出し、またラック４１がベベルギア３３に噛み合っている。符号４７はトーションバネを示し、このトーションバネ４７の一端は支持部４３に当接し、他端はレバー３９に当接している。このトーションバネ４７によってレバー３９は図２、図３において時計回りの方向へ付勢されている。
【００１２】
図１に示すように、赤色の発光ダイオード（ＬＥＤ）４９ａ、４９ｂ、４９ｃ、４９ｄは、前面パネル９の４つの丸穴１８から発光部がそれぞれ露出するように配置されている。ＬＥＤ４９ａ、４９ｂ、４９ｃ、４９ｄは回路基板５１に接続されており、この回路基板５１には後述する動作を行うための発光体制御手段としてのＬＥＤ制御回路が設けられている。
符号５３はリミットスイッチを示し、このリミットスイッチ５３は回路基板５１にリード線５７を介して接続されている。リミットスイッチ５３はラック４１の上面に対向して配置されており、ラック４１が図２において反時計回りの方向へ回動すると押圧片５５が押されてボタンが押圧される。
【００１３】
収容部４の底面５８には有底の貯容穴５９が形成されており、この貯容穴５９にはリミットスイッチ６１が収容されている。リミットスイッチ６１の押圧片６３は底面５８より突出しており、開口１５から受容器１６を本体３の奥まで入れると、受容器１６の底によって押圧片６３が押されてボタンが押される。
また、本体３の底面には電池ボックス６７が設けられ、この電池ボックス６７には乾電池６９が収容されている。この乾電池６９は端子及びリード線を介して回路基板５１に接続されている。
表示手段は、赤色の発光ダイオード（ＬＥＤ）４９ａ、４９ｂ、４９ｃ、４９ｄ、リミットスイッチ５３、６１及びＬＥＤ制御回路を備えた回路基板５１によって構成されている。
【００１４】
次に、この米びつ１の使用方法について説明する。
受容器１６を開口１５から挿入して収容部４の奥まで押し込み、リミットスイッチ６１の押圧片６３を押してボタンが押された状態とする。これによりＬＥＤ制御回路が動作可能な状態となる。
また、計量容器２３内のシャッター２９は計量容器２３の上側の開口２５が開き、下側の開口２７を閉鎖する位置となっている。従って、排出口２１から計量容器２３へ米Ｋが流入して、計量容器２３は米Ｋで満たされている。
【００１５】
レバー３９を押し下げて、ラック４１を反時計回りの方向へ回動させる。このラック４１の駆動力がベベルギア３３を介して軸３１へ伝達され、軸３１と共にシャッター２９を回動させる。シャッター２９は計量容器２３の上側の開口２５を閉鎖してから下側の開口２７を開け、計量容器２３内の米Ｋは受容器１６内へ排出される。レバー３９から手を離すと、トーションバネ４７の付勢力によって元の姿勢に戻る。
【００１６】
上記動作においてラック４１が反時計回りの方向へ回動すると、ラック４１の上面にリミットスイッチ５３の押圧片５５が押されてボタンが押圧される。すると、リミットスイッチ５３からの電気信号がＬＥＤ制御回路へ伝達されて、ＬＥＤ４９ａが点灯する。これにより米Ｋの計量が１回行われたことが表示される。再度、レバー３９を押し下げると、同様にしてＬＥＤ４９ｂが点灯する。このように、レバー３９を押し下げる度にＬＥＤ４９ａから順次、ＬＥＤ４９ｂ、４９ｃ、４９ｄまで点灯し、米Ｋの計量が何回行われたかが表示される。
操作者はＬＥＤの点灯数により計量回数、即ち受容器１６に排出された米Ｋの量を確認して受容器１６を本体３から引き出し、炊飯器の内釜等へ米Kを移す。
【００１７】
受容器１６を収容部４から引き出すと点灯している全てのＬＥＤが消灯し、受容器１６を開口１５から挿入して収容部４の奥まで入れて、受容器１６の底面によりリミットスイッチ６１の押圧片６３が押圧されボタンが押されると、ＬＥＤ制御回路が動作可能な状態となり、表示手段がリセットされる。
【００１８】
以上、本発明の実施の形態について詳述してきたが、具体的な構成はこの実施の形態に限られるものではなく、本発明の要旨を逸脱しない範囲における設計の変更などがあっても本発明に含まれる。例えば、上記実施の形態では、表示手段を、赤色の発光ダイオード（ＬＥＤ）４９ａ、４９ｂ、４９ｃ、４９ｄ、リミットスイッチ５３、６１及びＬＥＤ制御回路を備えた回路基板５１によって構成しているが、機械的な構成による表示装置、例えばレバー３９を押し下げる度に、丸穴１８から着色板が露出する装置によって構成してもよい。
【００１９】
【発明の効果】
以上のように、本発明によれば、米の計量・排出を何回行ったかが表示されるので、操作している者が米の計量・排出を何回行ったかを失念することによる米の計量・排出のための操作をやり直す面倒な作業を行う事態を回避することができる。
【図面の簡単な説明】
【図１】本発明の実施の形態に係る米びつの斜視図である。
【図２】本発明の実施の形態に係る米びつの断面図である。
【図３】図２の部分拡大図である。
【符号の説明】
１  米びつ                  ３  本体
４  貯容部                  ５  投入口
７  蓋                      ９  前面パネル
１０  凹部                  １１，１３，１５  開口
１６  受容器                １７  透明板
１８  丸穴                  １９  仕切板
２０  米貯留部              ２１  排出口
２３  計量容器              ２４  支持部
２５，２７  開口            ２９  シャッター
３１  軸                    ３３  ベベルギア
３９  レバー                ４１  ラック
４３  支持部                ４５  軸
４７  トーションバネ
４９ａ、４９ｂ、４９ｃ、４９ｄ  発光ダイオード（ＬＥＤ）
５１  回路基板                ５３  リミットスイッチ
５５  押圧片                  ５７  リード線
５８  底面                    ５９  貯容穴
６１  リミットスイッチ        ６３  押圧片
６７  電池ボックス          ６９  乾電池
Ｋ  米
【図１】
2004187928.tif 000003
【図２】
2004187928.tif 000004
【図３】
2004187928.tif 000005